(57)【特許請求の範囲】
【請求項１】
器具本体と、
前記器具本体に収容される複数のＬＥＤユニットとを備え、
前記ＬＥＤユニットは、逆Ｖ字形に形成された長尺の取付台の下面に取り付けられ、
前記取り付け台は前記長尺の取付台の長尺方向と直交する方向である幅方向に連接できる嵌合部を備えた照明器具。
【請求項２】
請求項１に記載の照明器具において、
前記取付台は、熱伝導性の良好な材料により成形されて放熱経路を確保可能である照明器具。
【請求項３】
請求項１または請求項２に記載の照明器具において、
前記取付台は、その側部が隣り合う取付台の側部に突き合わせられる照明器具。
【発明の詳細な説明】
【技術分野】
【０００１】
本発明は、ＬＥＤを光源として例えばクリーンルーム等の天井面に設置される照明器具に関する。
【背景技術】
【０００２】
従来より、ＬＥＤを一列に配置したＬＥＤユニットを備える照明器具が知られている（例えば、特許文献１参照）。
【先行技術文献】
【特許文献】
【０００３】
【特許文献１】特開２０１０−９８３０２号公報（図１、請求項１）
【発明の概要】
【発明が解決しようとする課題】
【０００４】
前述した特許文献１に記載された照明器具は、ＬＥＤユニットのＬＥＤが直列に接続されることにより共通部品として使用できる。
ところで、図９に示すように、器具本体１０１の長手方向にＬＥＤユニット１０２が２列に配置された照明器具１００が提案されている。
このような従来の照明器具１００は、平板に形成された基台１０３の下面にＬＥＤユニット１０２が２列に配置されることにより、基台１０３から床面に向けた配光を制御できる。
【０００５】
しかし、このような従来の照明器具１００は、平板に形成された基台１０３の下面にＬＥＤユニット１０２が配置されているために、ＬＥＤユニット１０２の配光を器具本体１０１の幅方向に拡げることに限界がある。
また、このような従来の照明器具１００は、ＬＥＤユニット１０２の列を増やして光量を増加させる場合、基台１０３の幅寸法を大きくしなければならず、それに伴い、器具本体１０１の幅寸法が大きくなって大型化する。
【０００６】
本発明は、前述した課題を解決するためになされたものであり、その目的は、幅の広い配光を取得できるとともにコンパクト化できる照明器具を提供することにある。
【課題を解決するための手段】
【０００７】
本発明に係る照明器具は、器具本体と、前記器具本体に収容される複数のＬＥＤユニットとを備え、前記ＬＥＤユニットは、逆Ｖ字形に形成された長尺の取付台の下面に取り付けられ、前記取り付け台は前記長尺の取付台の長尺方向と直交する方向である幅方向に連接できる嵌合部を備えた。
【０００８】
本発明に係る照明器具は、取付台は、熱伝導性の良好な材料により成形されて放熱経路を確保可能である。
【０００９】
本発明に係る照明器具は、取付台は、その側部が隣り合う取付台の側部に突き合わせられる。
【発明の効果】
【００１０】
本発明に係る照明器具によれば、幅の広い配光を取得できるとともにコンパクト化できるという効果を奏する。
【図面の簡単な説明】
【００１１】
【図１】本発明に係る第１実施形態の照明器具の一部破断正面図
【図２】図１の照明器具に適用される取付台の単体断面図
【図３】図１の照明器具の側面から視た垂直断面図
【図４】図１の照明器具の底面図
【図５】本発明に係る第２実施形態の照明器具の側面から視た垂直断面図
【図６】図５の照明器具の底面図
【図７】本発明に係る第３実施形態の照明器具の正面から視た垂直断面図
【図８】本発明に係る第４実施形態の照明器具の正面から視た垂直断面図
【図９】従来の照明器具の垂直断面図
【発明を実施するための形態】
【００１２】
以下、本発明に係る複数の実施形態の照明器具について図面を参照して説明する。
(第１実施形態)
図１に示すように、第１実施形態の照明器具１０は、器具本体１１と、枠１２と、電源装置１３と、複数のＬＥＤ１５を有するＬＥＤユニット１４と、ＬＥＤユニット１４が取り付けられた取付台１６と、取付台１６を支持する灯具ケース１７と、取付ばね１８と、拡散パネル１９と、パネル２０とを備えてクリーンルームの天井板１に形成された取付孔２に設置される。
【００１３】
器具本体１１は、鋼板製であって長尺の下方を開放した箱形状に形成されて高反射白色粉体塗装が施されている。器具本体１１は、例えば１３５ｍｍの幅寸法で１２４５ｍｍの長さ寸法を有する天板２１と、例えば１５０ｍｍの高さ寸法を有して長手方向の端部に配置される一対の端板２２と、幅方向に配置される一対の側板２３とを有する。
【００１４】
天板２１は、その中央部に器具内配線（図５参照）２４を器具本体１１の外部から内部へ引き込むための配線挿通部２５を有し、その側部に電源装置１３が取り付けられている。天板２１の配線挿通部２５は器具本体１１の外部と内部とで気密性を保持する。
【００１５】
電源装置１３は、器具内配線２４を通じて外部の電源回路に電気的に接続されるために、外部の電源回路から与えられた商用電源を直流電源に変換してＬＥＤ１５に与える。器具本体１１は、その側板２３の内面に取付ばね１８を掛止させるためのＬ字形状のブラケット２６が取り付けられている。
枠１２は、ステンレス製であってクリアアクリル塗装が施されている。枠１２は器具本体１１の下端部の開口部に取り付けられており、挿通されたねじ２７が天井板１にねじ込まれている。
【００１６】
複数のＬＥＤ１５を有するＬＥＤユニット１４が取付台１６に取り付けられる。ＬＥＤユニット１４は４０００Ｋ（ケルビン）の相関色温度を有する。取付台１６は垂直断面視逆Ｖ字形で器具本体１１の長手方向に長尺に形成されている。取付台１６は熱伝導性の良好な例えばアルミニウム押出型材製であって、外面に高反射白色粉体塗装が施されている。一対のＬＥＤユニット１４と単一の取付台１６とが１つのユニットを構成する。器具本体１１は２つのユニットを収容している。
【００１７】
拡散パネル１９は、アクリル製であって透明片面マット仕上が施されており、器具本体１１の下端部の開口部に取り付けられている。
パネル２０は、透明な強度ガラス製であり、器具本体１１の下端部の開口部において拡散パネル１９の前面に取り付けられている。
【００１８】
図２に示すように、取付台１６は、垂直断面視逆Ｖ字形の本体２８の下面がＬＥＤユニット１４の取付面２９になっている。取付面２９は、垂線に対して３０度の傾斜角度θ１を有する。
なお、取付面２９は３０度〜４５度の範囲の傾斜角度θ１を有するのが好ましい。
【００１９】
取付面２９には、ＬＥＤ１５が実装されたＬＥＤ基板３０がねじ３１のねじ込みにより取り付けられている。取付台１６は、本体２８の一方側に第１板部３２を有するとともに、本体２８の他方側に第２板部３３を有する。取付台１６は、本体２８の上面に灯具ケース１７に有する天板（図１参照）３４からねじ（図１参照）３５がねじ込まれることにより灯具ケース１７に支持するための複数のボス３６を有する。
【００２０】
従って、取付台１６が垂直断面視逆Ｖ字形の本体２８の下面の取付面２９にＬＥＤユニット１４を取り付けているために、従来のもののように、ＬＥＤユニットの列を増やして光量を増加させる場合に、基台の幅寸法を大きくすることなく、小さい幅寸法の取付台１６に複数のＬＥＤユニット１４を配置できる。
【００２１】
取付台１６は、本体２８の両側部に隣り合う取付台１６に連結される凹凸面形状の嵌合部３７を有する。そのため、図１を参照して、２つのユニットを構成する一対の取付台１６は、嵌合部３７が相互に嵌合されることにより分離不能に結合されている。
取付台１６は、熱伝導性の良好なアルミニウム押出材料により成形されて、複数のボス３６がねじ３５により灯具ケース１７の天板３４に取り付けられることにより、灯具ケース１７の天板３４に熱的に接続される。
従って、取付台１６は、ＬＥＤ１５からの熱を、本体２８から放熱させるとともに、灯具ケース１７の天板３４を通じて放熱させることにより、放熱経路を確保できる。
【００２２】
図３に示すように、取付ばね１８は、コイル部３８の両側に一対の腕部３９を有し、コイル部３８が灯具ケース１７の天板３４に固定されたばね固定部４０に取り付けられている。取付ばね１８は、灯具ケース１７を器具本体１１に支持させる際に、一対の腕部３９を近付けるように指等により弾性変形されてブラケット２６に有する一対の掛止部４１内に挿入される。そして、取付ばね１８の腕部３９から指を放すことにより、一対の腕部３９が弾性復元により拡径されて掛止部４１に掛止され、その際の弾性復元力により灯具ケース１７がブラケット２６に支持される。
【００２３】
図４に示すように、照明器具１０は、嵌合部３７の相互の嵌合により結合された取付台１６の長手方向に取り付けられた一対のＬＥＤユニット１４からなる２つのユニットが器具本体１１の長手方向に沿って並列に配置されている。
【００２４】
次に、照明器具１０の光学的な特性について説明する。
図１に戻り、照明器具１０は、電源装置１３からの給電によりＬＥＤユニット１４のＬＥＤ１５が発光される。このとき、取付台１６が垂直断面視逆Ｖ字形に形成されているために、１列目のユニットにおいて、取付台１６の第１板部３２に有するＬＥＤ１５からの光成分が第２板部３３の前方に向けて斜めに出射され、取付台１６の第２板部３３に有するＬＥＤ１５からの光成分が第１板部３２の前方に向けて斜めに出射される。同時に、２列目のユニットにおいて、取付台１６の第１板部３２に有するＬＥＤ１５からの光成分が第２板部３３の前方に向けて斜めに出射され、取付台１６の第２板部３３に有するＬＥＤ１５からの光成分が第１板部３２の前方に向けて斜めに出射されることになる。そして、出射された光成分は、拡散パネル１９により拡散された後に、パネル２０を透過して床面に向けて出射される。
【００２５】
ＬＥＤ１５が発光されることによりＬＥＤ１５は発熱する。ＬＥＤ１５が発した熱はＬＥＤ基板３０から取付台１６に伝わり、取付台１６から灯具ケース１７に伝わって放熱される。
従って、照明器具１０は、従来のもののように平板に形成された基台にＬＥＤユニットが配置された場合と比べて、幅の広い配光を取得できる。
【００２６】
以上、説明した第１実施形態の照明器具１０によれば、取付台１６が垂直断面視逆Ｖ字形の本体２８の下面の取付面２９にＬＥＤユニット１４を取り付けているために、従来のもののように、ＬＥＤユニットの列を増やして光量を増加させる場合に基台の幅寸法を大きくすることなく、小さい幅寸法の取付台１６に複数のＬＥＤユニット１４を配置できるのでコンパクト化できる。また、第１実施形態の照明器具１０によれば、ＬＥＤユニット１４が逆Ｖ字形に形成された長尺の取付台１６の下面に取り付けられるために、従来のもののように平板に形成された基台にＬＥＤユニットが配置された場合と比べて、幅の広い配光を取得できる。
【００２７】
また、第１実施形態の照明器具１０によれば、取付台１６が熱伝導性の良好な材料により成形されているために、ＬＥＤ１５からの熱を取付台１６の本体２８から放熱させるとともに、灯具ケース１７の天板３４を通じて放熱させることにより、放熱経路を確保できる。
【００２８】
(第２実施形態)
次に、本発明に係る第２実施形態の照明器具について説明する。
なお、以下の各実施形態において、前述した第１実施形態と重複する構成要素や機能的に同様な構成要素については、図中に同一符号あるいは相当符号を付することによって説明を簡略化あるいは省略する。
【００２９】
図５および図６に示すように、本発明に係る第２実施形態の照明器具５０は、器具本体５１が、例えば３７０ｍｍの幅寸法で３７０ｍｍの長さ寸法を有する正方形の天板５２と、例えば１５０ｍｍの高さ寸法を有して端部に配置される一対の端板５３と、側部に配置される一対の側板５４とを有する。照明器具５０は、器具本体５１の幅方向に、６つの取付台５５が連結されており、それぞれの取付台５５に一対に取り付けられたＬＥＤユニット１４により６つのユニットが構成されている。
【００３０】
第２実施形態の照明器具５０によれば、器具本体５１の幅方向に連結された６つの取付台５５に一対のＬＥＤユニット１４がそれぞれ取り付けられているために、器具本体５１の幅方向に対するさらに幅の広い配光を取得できる。
【００３１】
(第３実施形態)
次に、本発明に係る第３実施形態の照明器具について説明する。
図７に示すように、本発明に係る第３実施形態の照明器具６０は、取付台６１が垂直断面視逆Ｖ字形の本体６２を有する。取付台６１は、本体６２の両側部に隣り合う取付台６１の側部に突き合わせられる突合面６３を有し、本体６２の中央部に灯具ケース１７にねじ込まれるねじ６４を挿通させるためのねじ孔６５を有する。取付台６１は、本体６２の中央部の平面部分に反射面６６を有する。
従って、照明器具６０の取付台６１は、第１実施形態の取付台１６と比べて簡素な形状になるために金型費を大幅に削減できる。
【００３２】
照明器具６０は、取付台６１が、その突合面６３を隣り合う取付台６１の突合面６３に突き合わされながら位置決めされた後に、ねじ孔６５からねじ６４が挿通され、ねじ６４が灯具ケース１７にねじ込まれることにより灯具ケース１７に取り付けられる。
【００３３】
第３実施形態の照明器具６０によれば、取付台６１が、その突合面６３を隣り合う取付台６１の突合面６３に突き合わされながら位置決めされた後に灯具ケース１７に取り付けられるために、取付台６１の位置決めを簡単にでき、器具形状の自由度を高めることができる。
【００３４】
そして、第３実施形態の照明器具６０によれば、取付台６１に反射面６６を有するために、別構成の反射板等を取り付ける必要がなく、ＬＥＤ１５の反射光を活用できる。
【００３５】
(第４実施形態)
次に、本発明に係る第４実施形態の照明器具について説明する。
図８に示すように、本発明に係る第４実施形態の照明器具７０は、取付台７１が垂直断面視逆Ｖ字形の本体７２を有する。取付台７１は、本体７２の両側部に隣り合う取付台７１の側部に突き合わせられる突合面７３を有し、本体７２の一方側にＬＥＤユニット１４が取り付けられた第１板部７４を有するとともに、本体７２の他方側にＬＥＤユニット１４が取り付けられた第２板部７５を有し、本体７２の中央部にＬＥＤユニット１４が取り付けられた第３板部７６を有する。そして、取付台７１は、第３板部７６の平面部分に反射面７７を有する。
【００３６】
照明器具７０は、電源装置１３からの給電によりＬＥＤユニット１４のＬＥＤ１５が発光されると、取付台７１の第１板部７４に有するＬＥＤ１５からの光成分が第２板部７５の前方に向けて斜めに出射され、取付台７１の第２板部７５に有するＬＥＤ１５からの光成分が第１板部７４の前方に向けて斜めに出射され、同時に、取付台７１の第３板部７６に有するＬＥＤ１５からの光成分および第３板部７６の反射面７７からの反射光の光成分が下方に向けて出射されることになる。
【００３７】
第４実施形態の照明器具７０によれば、取付台７１の第１板部７４および第２板部７５のＬＥＤ１５から斜めに出射される光成分に加えて、取付台７１の第３板部７６のＬＥＤ１５から床面に向けて出射される光成分および反射面７７により反射される光成分により光量をさらに増大できる。
【００３８】
なお、本発明の照明器具において器具本体，枠，電源装置，ＬＥＤユニット等は、前述した各実施形態に限定されるものでなく、適宜な変形や改良等が可能である。
【符号の説明】
【００３９】
１０，５０，６０，７０  照明器具
１１，５１  器具本体
１４  ＬＥＤユニット
１６，５５，６１，７１  取付台
【図１】
0005707565.tif 000002
【図２】
0005707565.tif 000003
【図３】
0005707565.tif 000004
【図４】
0005707565.tif 000005
【図５】
0005707565.tif 000006
【図６】
0005707565.tif 000007
【図７】
0005707565.tif 000008
【図８】
0005707565.tif 000009
【図９】
0005707565.tif 000010